(57)【特許請求の範囲】
【請求項１】
探触子に装着された採卵針挿入ガイド内に形成された採卵針誘導路内もしくは探触子に設けられた採卵針誘導路内に挿入される採卵針用シースであり、該採卵針用シースは、前記採卵針誘導路内に挿入可能かつ内部に採卵針を挿入可能な中空状本体部と、前記採卵針誘導路への装着状態を保持するための装着保持部とを備え、かつ前記採卵針誘導路内に装着後の前記シースの先端部は、前記誘導路の先端より突出し、かつ、該シースの突出部を用いてシースを引っ張ることにより、該シースを前記誘導路の先端側より抜去可能であることを特徴とする採卵針誘導路内挿入用の採卵針用シース。
【請求項２】
前記誘導路への装着状態を保持するための装着保持部は、前記シースの後端に形成された該誘導路の内径より大きい拡径部と、前記シースの先端部に形成された折り曲げ可能部とにより構成されている請求項１に記載の採卵針用シース。
【請求項３】
前記誘導路への装着状態を保持するための装着保持部は、前記シースの先端部に形成された前記誘導路の内径より大きい大径部と、前記シースの後端部に形成された折り曲げ可能部とにより構成されている請求項１に記載の採卵針用シース。
【請求項４】
前記誘導路への装着状態を保持するための装着保持部は、前記シースの一端部に形成され、かつ前記誘導路の端部内に押し込み可能かつ押し込まれた状態にて前記誘導路の内壁面に当接することにより、該誘導路への装着状態を保持するリブにより構成されている請求項１に記載の採卵針用シース。
【請求項５】
前記誘導路への装着状態を保持するための装着保持部は、前記シースの一端部に形成され、かつ前記誘導路の端部内に押し込み可能かつ押し込まれた状態にて前記誘導路の内壁と嵌合することにより、該誘導路への装着状態を保持する拡径部により構成されている請求項１に記載の採卵針用シース。
【請求項６】
前記シースの後端部は、テーパー状に拡径する拡径部となっている請求項１または２に記載の採卵針用シース。
【請求項７】
前記シースの後端には、拡径部を有しかつシースより取り外し可能なハブが装着されている請求項６に記載の採卵針用シース。
【請求項８】
前記シースの後端部には、該シースの全長より長い抜去用線状体が取り付けられている請求項１ないし６のいずれかに記載の採卵針用シース。
【発明の詳細な説明】
【０００１】
【発明の属する技術分野】
本発明は、探触子に装着もしくは探触子に形成されている採卵針ガイド内に挿入して使用する採卵針用シースに関する。
【０００２】
【従来の技術】
従来より、超音波診断装置を使用し、生体の卵巣を撮像し、その映像を見ながら卵子を採取することが行われている。このような場合、超音波診断装置に接続される超音波プローブ（探触子）に、採卵針ガイドを装着したものを生体内に挿入する。そして、採卵針ガイド内に採卵針を挿入して、卵子を採取する。
【０００３】
【発明が解決しようとする課題】
採卵針ガイドも探触子とともに生体内に挿入される。このため、採卵針ガイドの外面および内面には、生体内分泌物が付着する。採卵針ガイド内への採卵針の挿入による卵子の採取が完了すると、採卵針ガイドも探触子とともに生体内により抜去される。採卵針ガイドは、ディスポーザブルのものもあるが、医療廃棄物となるため、大半は洗浄、滅菌のうえ再利用されている。しかし、採卵針ガイド内の洗浄は容易なものではなく、ガイド内面に付着した粘性の高い生体内分泌物の除去は困難であり、次回にガイド内に採卵針を挿入すると、採卵針によりガイド内面に付着した生体内分泌物が削り取られ、生体内に流入させる危険性がある。
【０００４】
そこで、本発明では、採卵針ガイドの通路もしくは探触子に形成された採卵針通路の内面への生体内分泌物の付着を抑制し、採卵針ガイドを洗浄、滅菌のうえ再利用しても、前回の使用時における生体内分泌物の生体内流入の危険性を極めて少ないものとすることができる採卵針誘導路内挿入用の採卵針用シースを提供するものである。
【０００５】
【課題を解決するための手段】
上記目的を達成するものは、探触子に装着された採卵針挿入ガイド内に形成された採卵針誘導路内もしくは探触子に設けられた採卵針誘導路内に挿入される採卵針用シースであり、該採卵針用シースは、前記採卵針誘導路内に挿入可能かつ内部に採卵針を挿入可能な中空状本体部と、前記採卵針誘導路への装着状態を保持するための装着保持部とを備え、かつ前記採卵針誘導路内に装着後の前記シースの先端部は、前記誘導路の先端より突出し、かつ、該シースの突出部を用いてシースを引っ張ることにより、該シースを前記誘導路の先端側より抜去可能である採卵針誘導路内挿入用の採卵針用シースである。
【０００６】
そして、前記誘導路への装着状態を保持するための装着保持部は、前記シースの後端に形成された該誘導路の内径より大きい拡径部と、前記シースの先端部に形成された折り曲げ可能部とにより構成されていることが好ましい。また、前記誘導路への装着状態を保持するための装着保持部は、前記シースの先端部に形成された前記誘導路の内径より大きい大径部と、前記シースの後端部に形成された折り曲げ可能部とにより構成されていてもよい。さらに、前記誘導路への装着状態を保持するための装着保持部は、前記シースの一端部に形成され、かつ前記誘導路の端部内に押し込み可能かつ押し込まれた状態にて前記誘導路の内壁面に当接することにより、該誘導路への装着状態を保持するリブにより構成されていてもよい。また、前記誘導路への装着状態を保持するための装着保持部は、前記シースの一端部に形成され、かつ前記誘導路の端部内に押し込み可能かつ押し込まれた状態にて前記誘導路の内壁と嵌合することにより、該誘導路への装着状態を保持する拡径部により構成されていてもよい。
【０００７】
そして、前記シースの後端部は、テーパー状に拡径する拡径部となっていることが好ましい。また、前記シースの後端には、拡径部を有しかつシースより取り外し可能なハブが装着されていることが好ましい。さらに、前記シースの後端部には、該シースの全長より長い抜去用線状体が取り付けられていることが好ましい。
【０００８】
【発明の実施の形態】
本発明の採卵針誘導路内挿入用の採卵針用シースを図面に示す実施例を用いて説明する。
図１は、採卵針挿入ガイドを装着した探触子（超音波診断装置用プローブ）および本発明の採卵針誘導路内挿入用の採卵針用シースの外観図である。図２は、本発明の実施例の採卵針誘導路内挿入用の採卵針用シースの部分省略外観図である。図３は、図２に示した採卵針誘導路内挿入用の採卵針用シースの部分省略断面図である。図４は、採卵針挿入ガイドを装着した探触子（超音波診断装置用プローブ）に本発明の採卵針誘導路内挿入用の採卵針用シースを装着した状態を示す外観図である。図５は、本発明の採卵針誘導路内挿入用の採卵針用シースの使用状態を説明する説明図である。具体的には、図５は、図４の採卵針挿入ガイドを装着した探触子（超音波診断装置用プローブ）に本発明の採卵針誘導路内挿入用の採卵針用シースを装着し、さらに、シース内に採卵針を挿入した状態のシース先端部の拡大断面図である。
【０００９】
本発明の採卵針誘導路内挿入用の採卵針用シース１は、探触子２に装着された採卵針挿入ガイド３内に形成された採卵針誘導路３２内もしくは探触子２０に設けられた採卵針誘導路８２内に挿入される採卵針用シースである。採卵針用シース１は、採卵針誘導路３２内に挿入可能かつ内部に採卵針５を挿入可能な中空状本体部１１と、採卵針誘導路３２への装着状態を保持するための装着保持部１３とを備え、かつ採卵針誘導路３２内に装着後に抜去可能である。
【００１０】
図１ないし図５に示す実施例の採卵針誘導路内挿入用の採卵針用シース１について説明する。
図１ないし図５に示す実施例の採卵針誘導路内挿入用の採卵針用シース１は、探触子２に装着された採卵針挿入ガイド３内に形成された採卵針誘導路３２内に挿入される採卵針用シースである。
探触子２（超音波診断装置用プローブ）は、経膣プローブであり、先端が曲面状に形成されたプローブ本体２１を備え、内部に超音波発信および受信機構が収納されている。そして、プローブ本体２１の外面には、採卵針挿入ガイド３が装着されている。採卵針挿入ガイド３は、ガイド管３１とガイド管固定具３３ａ、３３ｂからなり、プローブ本体２１に対して着脱可能となっている。ガイド管３１は、先端が斜めにカットされ、刃先状先端面を有する管状体であり、一般的には、内径０．７〜２．５ｍｍ、長さ１５０〜４５０ｍｍとなっている。ガイド管３１は、通常、ステンレス鋼、チタン、チタン合金などの金属管により形成されている。
【００１１】
この実施例の採卵針用シース１は、採卵針誘導路３２内に挿入可能かつ内部に採卵針５を挿入可能な中空状本体部１１と、採卵針誘導路３２への装着状態を保持するための装着保持部１３とを備えるシース本体１０と、このシース本体の後端に取り付けられたハブ１２を備える。
シース本体１０は、全体がほぼ同一内径および同一外径を有するチューブ体であり、先端部は、軸方向に並行にチューブ体を所定の長さ部分的に除去することにより形成された装着保持部１３を備えている。この実施例のシース１では、軸方向に並行にチューブ体をほぼ半分を切り取ることにより装着保持部１３が形成されている。
シース本体１０としては、全長が、１６０〜５２０ｍｍ、内径が、０．５〜２．３ｍｍ、外径が、０．６〜２．４ｍｍが好適である。装着保持部１３としては、長さが、５〜５０ｍｍ、シース１の軸方向に並行にチューブ体を切り取る量としては、１／３から２／３程度、言い換えれば、装着保持部１３の断面円弧の長さは、シース１の中空状本体部１１の円周の長さの１／３〜２／３程度であることが好ましい。
【００１２】
シース本体１０の形成材料としては、薄肉に形成してもある程度の強度、硬度を備えるとともに、ある程度の可撓性を備えるものが好ましい。シース本体１０の形成材料としては、具体的には、ＰＴＦＥ、ＥＴＦＥ、ＦＥＰ、ＰＦＡ等のフッ素系樹脂、ポリプロピレン、ポリエチレン等のオレフィン系樹脂、ポリアミド（ナイロン６、ナイロン６６）などが使用できる。
シース本体１０の後端には、ハブ１２が取り付けられている。ハブ１２は、外径が若干シース本体１０（言い換えれば、本体部１１）の後端の内径より大きく形成された筒状部と、これと連続しかつテーパー状に後端に向かって拡径するテーパー部を備えている。ハブ１２の後端は、挿入されるガイド管３１の後端の内径より大きいものとなっている。このため、シース１のガイド管３１の先端方向への抜け止めとして機能する。さらに、ハブ１２のテーパー部は、採卵針誘導口としても機能する。ハブ１２は、筒状部をシース本体の後端に強制嵌入することにより装着されている。しかし、ハブ１２は、シース本体には固着されていない。つまり、ハブ１２はシース本体に接着剤などにより固定はされていない。このため、ハブ１２を保持した状態で、シース本体を先端側より強く引っ張ることにより、ハブ１２は、シース本体より離脱させることができる。ハブ１２としては、ステンレス鋼、チタン、チタン合金などの金属管により形成されている。
【００１３】
そして、シース１は、ガイド管３１に挿入後、ガイド管３１の後端がハブ１２に当接する状態までガイド管３１内に形成される誘導路（通路）３２内に挿入される。この状態にて、シース１の先端部（装着保持部１３の先端部）は、ガイド管３１より突出する。そして。図５に示すように、ガイド管３１より突出する部分の装着保持部１３をガイド管３１の後端側に折り曲げる。これにより、シース１は、先端側への移動が規制され、ハブ１２と共同することにより、ガイド管３１への装着状態を保持する。その後、図５に示すように、シース１内には、採卵針５が挿入される。そして、使用後、採卵針を抜去し、必要であればガイド管３１の先端部の汚れを拭き取った後、鉗子などにより折り曲げられている装着保持部１３を把持し引っ張ることにより、ハブ１２がシース本体１０より離脱し、シース本体をガイド管３１の先端側より抜去することができる。
【００１４】
次に、図６ないし図８に示す実施例の採卵針誘導路内挿入用の採卵針用シース４０について説明する。
図６は、本発明の他の実施例の採卵針誘導路内挿入用の採卵針用シースの部分省略外観図である。図７は、図６に示した採卵針誘導路内挿入用の採卵針用シースの先端部の拡大断面図である。図８は、採卵針挿入ガイドを装着した探触子（超音波診断装置用プローブ）に本発明の採卵針誘導路内挿入用の採卵針用シースを装着した状態を示す外観図である。
図６ないし図８に示す実施例の採卵針誘導路内挿入用の採卵針用シース４０は、探触子２に装着された採卵針挿入ガイド３内に形成された採卵針誘導路３２内に挿入される採卵針用シースである。
探触子２（超音波診断装置用プローブ）および採卵針挿入ガイド３は、上述した通りである。
【００１５】
この実施例の採卵針用シース４０は、採卵針挿入ガイド３の採卵針誘導路３２内に挿入可能かつ内部に採卵針５を挿入可能な中空状本体部４１と、採卵針誘導路３２への装着状態を保持するための装着保持部４２と、先端大径部４３を備える。
シース４０は、全体がほぼ同一内径および同一外径を有するチューブ体であり、後端部は、軸方向に並行にチューブ体を所定の長さ部分的に除去することにより形成された装着保持部４２となっている。この実施例のシース４０では、軸方向に並行にチューブ体をほぼ半分を切り取ることにより装着保持部４２が形成されている。
シース４０としては、全長が、１５５〜５００ｍｍ、内径が、０．５〜２．３ｍｍ、外径が、０．６〜２．４ｍｍが好適である。装着保持部４２としては、長さが、５〜５０ｍｍ、シース４０の軸方向に並行にチューブ体を切り取る量としては、１／３から２／３程度、言い換えれば、装着保持部１３の断面円弧の長さは、シース４０の中空状本体部４１の円周の長さの１／３〜２／３程度であることが好ましい。
【００１６】
シース４０の形成材料としては、薄肉に形成してもある程度の強度、硬度を備えるとともに、ある程度の可撓性を備えるものが好ましい。シース４０の形成材料としては、具体的には、ＰＴＦＥ、ＥＴＦＥ、ＦＥＰ、ＰＦＡ等のフッ素系樹脂、ポリプロピレン、ポリエチレン等のオレフィン系樹脂、ポリアミド（ナイロン６、ナイロン６６）などが使用できる。
シース４０の先端には、大径部４３が形成されている。大径部４３の外径は、挿入されるガイド管３１の先端の内径より大きいものとなっている。また、このシース４０が挿入されるガイド管３１の先端は、刃先状先端面ではなく軸にほぼ直交するように切断されている。大径部４３は、リング状部材をシース４０の先端に固着することにより形成されている。なお、大径部４３は、図６におよび図７に示すような環状のリング状部材に限定されるものではなく、例えば、後述する図１３のように、複数の突起により形成してもよい。大径部４３の形成材料としては、どのようなものでもよいが、例えば、ＰＴＦＥ、ＥＴＦＥ、ＦＥＰ、ＰＦＡ等のフッ素系樹脂、フッ素樹脂系エラストマー、ポリプロピレン、ポリエチレン等のオレフィン系樹脂、ポリアミド（ナイロン６、ナイロン６６）、ポリエステル（ポリエチレンテレフタレート、ポリブチレンテレフタレート）、ポリオレフィン（ポリエチレン、ポリプロピレン、エチレン−プロピレンコポリマー）、ポリウレタン（ポリエステル系ポリウレタン、ポリエーテル系ポリウレタン）などが使用できる。そして、この大径部４３は、シース４０に固着されてる。固着は、熱融着、接着剤等により行われる。また、大径部４３の外面は、図７に示すように曲面（具体的には、面取りされた状態）となっていることが好ましい。このようにすることにより、生体内挿入時に生体内壁に損傷を与えることを防止できる。また、大径部４３は、上記のように別部材を固着するものに限定されない。例えば、大径部は、シース４０の先端を熱加工などにより、拡径したもの、さらには、丸みをおびた折り返し状としたものでもよい。
【００１７】
そして、シース４０は、ガイド管３１の先端側より、ガイド管３１の先端がシース４０の先端部４３に当接する状態までガイド管３１内に形成される誘導路３２内に挿入される。この状態にて、シース４０の後端部（言い換えれば、装着保持部４２の後端部）は、ガイド管３１より突出する。そして。図８に示すように、ガイド管３１より突出する部分の装着保持部４２をガイド管３１の先端側に折り曲げる。これにより、シース４０は、ガイド管３１に装着されるとともに、大径部４３と共同することにより、装着状態を保持する。その後、シース４０内には、採卵針が挿入される。そして、使用後、採卵針を抜去し、必要であればガイド管３１の先端部の汚れを拭き取った後、鉗子などにより折り曲げられている装着保持部４２をシース４０の軸方向とほぼ並行となる状態に戻し、鉗子などにより、シース４０の大径部４３を保持し引っ張ることにより、シース４０をガイド管３１の先端側より抜去することができる。
【００１８】
次に、図９ないし図１２に示す実施例の採卵針誘導路内挿入用の採卵針用シース５０，６０について説明する。
図９は、本発明の他の実施例の採卵針誘導路内挿入用の採卵針用シースの部分省略外観図である。図１０は、図９に示した採卵針誘導路内挿入用の採卵針用シースを採卵針ガイド内に装着した状態の部分省略拡大断面図である。図１１は、本発明の他の実施例の採卵針誘導路内挿入用の採卵針用シースを採卵針ガイド内に装着した状態の部分省略拡大断面図である。図１２は、採卵針挿入ガイドを装着した探触子（超音波診断装置用プローブ）に図９もしくは図１１に示す採卵針誘導路内挿入用の採卵針用シースを装着した状態を示す外観図である。
図９ないし図１２に示す実施例の採卵針誘導路内挿入用の採卵針用シース５０，６０は、探触子２に装着された採卵針挿入ガイド３内に形成された採卵針誘導路３２内に挿入される採卵針用シースである。
探触子２（超音波診断装置用プローブ）および採卵針挿入ガイド３は、上述した通りである。
【００１９】
この実施例の採卵針用シース５０、６０は、採卵針挿入ガイド３は採卵針誘導路３２内に挿入可能かつ内部に採卵針５を挿入可能な中空状本体部５１と、採卵針誘導路３２への装着状態を保持するための装着保持部５５、６５と、後端拡径部５２を備える。
シース５０は、全体がほぼ同一内径および同一外径を有するチューブ体であり、後端部は、テーパー状に後端に向かって拡径するテーパー部５２となっている。シース５０の後端（テーパー部５２の後端部）は、挿入されるガイド管３１の後端の内径より大きいものとなっている。このため、シース５０のガイド管３１の先端方向への抜け止めとして機能する。さらに、テーパー部５２は、採卵針誘導口としても機能する。そして、テーパー部の先端部もしくは本体部５１の基端部には、装着保持部５５が設けられており、装着保持部５５は、図９および図１０に示す実施例では、環状リブにより形成されている。環状リブ５５の外径は、若干ガイド管３１の内径より大きいものとなっている。ガイド管３１内に装着保持部５５である環状リブは強制嵌入可能であり、嵌入された状態にて、変形した装着保持部５５はガイド管３１の内壁面を押圧し、装着保持部の復元力により、シース５０のガイド管３１への装着状態を保持する。
なお、装着保持部の形状は、上述した環状リブに限定されるものではなく、図１１に示すシース６０のような、所定の長さを有し、かつ外径が若干ガイド管３１の内径より大きい筒状拡径部６５であってもよい。さらに、装着保持部としては、後述する図１３のように、複数の突起により形成してもよい。
【００２０】
シース５０，６０としては、全長が、１５５〜４８５ｍｍ、内径が、０．５〜２．３ｍｍ、外径が、０．６〜２．４ｍｍが好適である。装着保持部５５，６５の外径は、０．６〜２．８ｍｍ程度であることが好ましい。また、装着保持部６５の長さは、１〜１５ｍｍ程度であることが好ましい。
シース５０，６０の形成材料としては、薄肉に形成してもある程度の強度、硬度を備えるとともに、ある程度の可撓性を備えるものが好ましい。シース５０，６０の形成材料としては、具体的には、ＰＴＦＥ、ＥＴＦＥ、ＦＥＰ、ＰＦＡ等のフッ素系樹脂、ポリプロピレン、ポリエチレン等のオレフィン系樹脂、ポリアミド（ナイロン６、ナイロン６６）などが使用できる。
【００２１】
そして、シース５０，６０は、ガイド管３１に後端側からガイド管３１の後端が装着保持部５５，６５に当接する状態まで挿入する。そして、シース５０，６０の後端を強く押すことにより、装着保持部５５，６５は若干変形するとともにガイド管３１の後端内に収納される。これにより、シース５０，６０は、ガイド管３１への装着状態を保持する。この状態にて、シース５０，６０の先端は、図１０ないし図１２に示すように、ガイド管３１より若干突出する。シース５０，６０のガイド管３１への装着時におけるシース５０，６０の先端部のガイド管３１からの突出長さは、１〜１５ｍｍ程度であることが好ましい。その後、シース５０，６０内には、採卵針５が挿入される。そして、使用後、採卵針を抜去し、次いで、ガイド管３１よりシース５０，６０を抜去する。シース５０，６０の抜去は、必要によりガイド管３１の先端部の汚れを拭き取った後、鉗子などによりシース５０，６０の後端部（テーパー部）を把持し引っ張ることにより、シース５０，６０をガイド管３１の後端側より抜去することができる。また、シース５０，６０の抜去は、必要によりガイド管３１の先端部の汚れを拭き取った後、鉗子などによりシース５０，６０のガイド管３１より突出する先端を把持し強制的に引っ張ることにより、シース５０，６０をガイド管３１の先端側より抜去することもできる。
【００２２】
次に、図１３ないし図１５に示す実施例の採卵針誘導路内挿入用の採卵針用シース７０について説明する。
図１３は、本発明の他の実施例の採卵針誘導路内挿入用の採卵針用シースの部分省略外観図である。図１４は、図１３に示した採卵針誘導路内挿入用の採卵針用シースを採卵針ガイド内に装着した状態の部分省略拡大断面図である。図１５は、図１３の採卵針誘導路内挿入用の採卵針用シースの使用状態を説明する説明図である。
図１３ないし図１５に示す実施例の採卵針誘導路内挿入用の採卵針用シース７０は、探触子２に装着された採卵針挿入ガイド３内に形成された採卵針誘導路３２内に挿入される採卵針用シースである。
探触子２（超音波診断装置用プローブ）および採卵針挿入ガイド３は、上述した通りである。
【００２３】
この実施例の採卵針用シース７０は、採卵針挿入ガイド３の採卵針誘導路３２内に挿入可能かつ内部に採卵針５を挿入可能な中空状本体部７１と、採卵針誘導路３２への装着状態を保持するための装着保持部７５と、後端拡径部７２を備える。
シース７０は、全体がほぼ同一内径および同一外径を有するチューブ体であり、後端部は、テーパー状に後端に向かって拡径するテーパー部７２となっている。シース７０の後端（テーパー部７２の後端部）は、挿入されるガイド管３１の後端の内径より大きいものとなっている。このため、シース７０のガイド管３１の先端方向への抜け止めとして機能する。さらに、テーパー部７２は、採卵針誘導口としても機能する。そして、テーパー部の先端部もしくは本体部７１の基端部には、装着保持部７５が設けられており、装着保持部５５は、図１３および図１４に示す実施例では、環状に配置された複数の突起により形成されている。複数の突起部分を結ぶことにより仮想される外径は、若干ガイド管３１の内径より大きいものとなっている。ガイド管３１内に装着保持部５５である突起は、強制嵌入可能であり、嵌入された状態にて、変形した装着保持部５５はガイド管３１の内壁面を押圧し、装着保持部の復元力により、シース７０のガイド管３１への装着状態を保持する。突起は、少なくとも２つ設けることが好ましく、特に、２〜８程度が好適である。突起が２つの場合には、向かい合うよう配置し、３以上の場合には、シース７０の中心軸に対して等角度に配置することが好ましい。
なお、装着保持部の形状は、上述した突起に限定されるものではなく、図９および図１０に示すシース５０のような環状リブ、さらには、図１１に示すシース６０のような、所定の長さを有する筒状拡径部６５であってもよい。
【００２４】
シース７０としては、全長が、１５５〜４８５ｍｍ、内径が、０．５〜２．３ｍｍ、外径が、０．６〜２．４ｍｍが好適である。
シース７０の形成材料としては、薄肉に形成してもある程度の強度、硬度を備えるとともに、ある程度の可撓性を備えるものが好ましい。シース７０の形成材料としては、具体的には、ＰＴＦＥ、ＥＴＦＥ、ＦＥＰ、ＰＦＡ等のフッ素系樹脂、ポリプロピレン、ポリエチレン等のオレフィン系樹脂、ポリアミド（ナイロン６、ナイロン６６）などが使用できる。
そして、シース７０は、抜去用線状体７６を備えている。抜去用線状体は、図１３および図１４に示すように、一端部が、固定部７６ａにおいてシース７０（具体的には、テーパー部）に固定されるとともに、テーパー部の外面に巻き付けられている。抜去用線状体７６の他端部は、固定部７６ａ付近の線状体の下に挟み込まれており、巻き付け状態が保持されている。
【００２５】
抜去用線状体７６は、テーパー部の外面への巻き付けを解除し、シース７０の内腔内に挿入した際に、シース７０の先端よりある程度の長さ突出するような長さを有している。この場合のシース７０先端より突出する抜去用線状体７６部分の長さとしては、１〜５０ｍｍ程度が好適である。抜去用線状体７６としては、ステンレス線、アモルファス合金線などの金属線または繊維が好ましい。アモルファス合金線としては、鉄−ケイ素−ホウ素系合金、コバルト−ケイ素−ホウ素系合金、鉄−コバルト−クロム−モリブデン−ケイ素−ホウ素系合金などを用いて形成したアモルファス合金線が、好適に使用できる。繊維としては、ポリエステル系繊維、ナイロン６、ナイロン６６、ナイロン４６などのポリアミド系繊維、ポリエチレン、ポリプロピレンなどのポリオレフィン系繊維などの合成繊維、さらには、ガラス繊維、アモルファス繊維などが好適である。
【００２６】
そして、シース７０は、ガイド管３１に後端側からガイド管３１の後端が装着保持部７５に当接する状態まで挿入する。そして、シース７０の後端を強く押すことにより、装着保持部７５は若干変形するとともにガイド管３１の後端内に収納される。これにより、シース７０は、ガイド管３１内に装着される。この状態にて、シース７０の先端は、図１４および図１５に示すように、ガイド管３１より突出する。シース７０のガイド管３１への装着時におけるシース７０の先端部のガイド管３１からの突出長さは、１〜１５ｍｍ程度であることが好ましい。その後、シース７０内には、採卵針５が挿入される。そして、使用後、採卵針を抜去し、次いで、ガイド管３１よりシース７０を抜去する。シース７０の抜去は、必要によりガイド管３１の先端部の汚れを拭き取った後、テーパー部の外面に巻き付けられている抜去用線状体７６を解き、シース７０の内腔内に挿入し、抜去用線状体７６の他端部７６ｂをガイド管３１より露出させる。この際、図示しないシース７０内腔内より小径の棒状部材の先端に抜去用線状体７６の他端を巻き付けてシース７０内を貫通させてもよい。そして、鉗子などにより、シース７０の先端より露出するシース７０の他端部７６ｂ（図示しないシース７０内腔内より小径の棒状部材の先端に抜去用線状体７６の他端を巻き付けてシース７０内を貫通させた場合には、棒状部材でもよい）を把持し引っ張ることにより、シース７０をガイド管３１の先端側より抜去することができる。
【００２７】
次に、図１６に示す実施例について説明する。
図１６は、採卵針誘導路を備える探触子（超音波診断装置用プローブ）に本発明の採卵針誘導路内挿入用の採卵針用シースを装着した状態を示す外観図である。
この実施例の採卵針用シース８０は、探触子２０自体に設けられた採卵針誘導路８２内に挿入される採卵針用シース８０である。このシース８０は、図６および図７に示し上述した構成を備えている。しかし、この図示した例に限定されるものではなく、上述したすべての実施例の採卵針用シースは、探触子２０自体に設けられた採卵針誘導路内に挿入される採卵針用シースとしても使用できる。
【００２８】
【発明の効果】
本発明の採卵針誘導路内挿入用の採卵針用シースは、探触子に装着された採卵針挿入ガイド内に形成された採卵針誘導路内もしくは探触子に設けられた採卵針誘導路内に挿入される採卵針用シースであり、該採卵針用シースは、前記採卵針誘導路内に挿入可能かつ内部に採卵針を挿入可能な中空状本体部と、前記採卵針誘導路への装着状態を保持するための装着保持部とを備え、かつ前記採卵針誘導路内に装着後に抜去可能である。
【００２９】
このシースを採卵針誘導路内に装着した状態にて採卵針の導入を行うことにより、使用時における採卵針誘導路内への生体分泌物などの侵入を抑制し、さらに、採卵針抜去時における採卵針先端部に付着した生体内分泌物の採卵針誘導路内への侵入を防止する。よって、採卵針ガイドもしくは探触子の採卵針誘導路内の汚染を抑制でき、採卵針ガイドもしくは探触子を洗浄、滅菌のうえ再利用しても、前回の使用時における生体内分泌物の次回の使用者の生体内への流入を極めて少ないものとすることができる。
【００３０】
そして、前記シースの先端部は、前記誘導路の先端より突出し、かつ、該シースの突出部を用いてシースを引っ張ることにより、該誘導路内より抜去可能であるとすることにより、シースの先端部に付着した生体内分泌物の採卵針誘導路内への侵入を防止することができる。
【００３１】
また、前記誘導路への装着状態を保持するための装着保持部は、前記シースの後端に形成された該誘導路の内径より大きい拡径部と、前記シースの先端部に形成された折り曲げ可能部とにより構成することにより、シースの採卵針誘導路内への装着が容易となる。
【００３２】
また、前記誘導路への装着状態を保持するための装着保持部は、前記シースの先端に形成された前記誘導路の内径より大きい拡径部と、前記シースの後端部に形成された折り曲げ可能部とにより構成することにより、シースの採卵針誘導路内への装着が容易となる。
【００３３】
また、前記誘導路への装着状態を保持するための装着保持部は、前記シースの一端部に形成され、かつ前記誘導路の端部内に押し込み可能かつ押し込まれた状態にて前記誘導路の内壁面に当接することにより、該誘導路への装着状態を保持するリブにより構成することにより、シースの採卵針誘導路内への装着が容易となる。
【００３４】
また、前記誘導路への装着状態を保持するための装着保持部は、前記シースの一端部に形成され、かつ前記誘導路の端部内に押し込み可能かつ押し込まれた状態にて前記誘導路の内壁と嵌合することにより、該誘導路への装着状態を保持する拡径部により構成することにより、シースの採卵針誘導路内への装着が容易となる。
【図面の簡単な説明】
【図１】図１は、採卵針挿入ガイドを装着した探触子（超音波診断装置用プローブ）および本発明の採卵針誘導路内挿入用の採卵針用シースの外観図である。
【図２】図２は、本発明の実施例の採卵針誘導路内挿入用の採卵針用シースの部分省略外観図である。
【図３】図３は、図２に示した採卵針誘導路内挿入用の採卵針用シースの部分省略断面図である。
【図４】図４は、採卵針挿入ガイドを装着した探触子（超音波診断装置用プローブ）に本発明の採卵針誘導路内挿入用の採卵針用シースを装着した状態を示す外観図である。
【図５】図５は、本発明の採卵針誘導路内挿入用の採卵針用シースの使用状態を説明する説明図である。
【図６】図６は、本発明の他の実施例の採卵針誘導路内挿入用の採卵針用シースの部分省略外観図である。
【図７】図７は、図６に示した採卵針誘導路内挿入用の採卵針用シースの先端部の拡大断面図である。
【図８】図８は、採卵針挿入ガイドを装着した探触子（超音波診断装置用プローブ）に本発明の採卵針誘導路内挿入用の採卵針用シースを装着した状態を示す外観図である。
【図９】図９は、本発明の他の実施例の採卵針誘導路内挿入用の採卵針用シースの部分省略外観図である。
【図１０】図１０は、図９に示した採卵針誘導路内挿入用の採卵針用シースを採卵針ガイド内に装着した状態の部分省略拡大断面図である。
【図１１】図１１は、本発明の他の実施例の採卵針誘導路内挿入用の採卵針用シースを採卵針ガイド内に装着した状態の部分省略拡大断面図である。
【図１２】図１２は、採卵針挿入ガイドを装着した探触子（超音波診断装置用プローブ）に図９または図１１に示す採卵針誘導路内挿入用の採卵針用シースを装着した状態を示す外観図である。
【図１３】図１３は、本発明の他の実施例の採卵針誘導路内挿入用の採卵針用シースの部分省略外観図である。
【図１４】図１４は、図１３に示した採卵針誘導路内挿入用の採卵針用シースを採卵針ガイド内に装着した状態の部分省略拡大断面図である。
【図１５】図１５は、図１３の採卵針誘導路内挿入用の採卵針用シースの使用状態を説明する説明図である。
【図１６】図１６は、採卵針誘導路を備える探触子（超音波診断装置用プローブ）に本発明の採卵針誘導路内挿入用の採卵針用シースを装着した状態を示す外観図である。
【符号の説明】
１、４０、５０、６０、７０  採卵針用シース
２、２０  探触子
３  採卵針挿入ガイド
５  採卵針
１０  シース本体
１１  中空状本体部
３２  採卵針誘導路
【図１】
0004472832.tif 000002
【図２】
0004472832.tif 000003
【図３】
0004472832.tif 000004
【図４】
0004472832.tif 000005
【図５】
0004472832.tif 000006
【図６】
0004472832.tif 000007
【図７】
0004472832.tif 000008
【図８】
0004472832.tif 000009
【図９】
0004472832.tif 000010
【図１０】
0004472832.tif 000011
【図１１】
0004472832.tif 000012
【図１２】
0004472832.tif 000013
【図１３】
0004472832.tif 000014
【図１４】
0004472832.tif 000015
【図１５】
0004472832.tif 000016
【図１６】
0004472832.tif 000017